(57)【要約】      （修正有）【課題】撮像素子シフト方式を採用したカメラ本体に光学レンズシフト方式を採用した交換レンズを装着したカメラシステムでは、それぞれの防振機能が重畳的にはたらき、手振れが過剰に補正された写真が撮影されてしまうことを防止する。【解決手段】撮像素子シフト方式を採用したカメラ本体１００に装着可能性のある光学レンズシフト方式を採用した交換レンズ２００において、交換レンズ２００の防振スイッチ２０２が有効であり、且つ、カメラ本体１００の防振スイッチ１０３が有効である場合には、交換レンズ２００の手振れ補正ユニットの構成要素である可動側部材を手振れ補正時よりも高い周波数で所定時間振動させ、これによって発生したバイブレーションにより、使用者に手振れを過剰に補正された写真が撮影されてしまうおそれがあることを警告する。【選択図】図１
2010160174.tif 000002
【特許請求の範囲】
【請求項１】
撮像素子シフト方式を採用したカメラ本体に装着可能な光学レンズシフト方式を採用した交換レンズにおいて、
防振レンズ群と、
該防振レンズ群を光軸に垂直な平面で駆動するレンズ側駆動手段と、
防振機能を有効又は無効にするレンズ側防振スイッチと、
前記カメラ本体に設けられたカメラ側制御手段とのデータ通信、該レンズ側駆動手段の駆動制御、該レンズ側防振スイッチの有効又は無効の状態の判断を行うレンズ側制御手段と、を有し、
該カメラ本体に設けられたカメラ側防振スイッチが有効であり、且つ、該レンズ側防振スイッチが有効である場合には、該防振レンズ群を手振れ補正時よりも高い周波数で所定時間振動させ、バイブレーションによる警告を行うことを特徴とする交換レンズ。
【発明の詳細な説明】
【技術分野】
【０００１】
本発明は、レンズ交換式カメラシステムを構成する交換レンズに関するものであり、特に防振機能を備えた交換レンズに関する。
【背景技術】
【０００２】
従来、撮影時の使用者による手振れを補正する手振れ補正システムが実用化されている。特に手振れ補正システムには、カメラ本体の撮像素子を光軸に垂直な平面でシフトさせ手振れを補正する撮像素子シフト方式と、交換レンズのレンズ光学系の一部の防振レンズ群を光軸に垂直な平面でシフトさせ手振れを補正する光学レンズシフト方式が一般的である。
【０００３】
撮像素子シフト方式を採用したカメラ本体は、カメラ本体に設置された手振れ検知装置で手振れを検知し、この手振れをキャンセルするように撮影の瞬間にカメラ本体の撮像素子を光軸に垂直な平面でシフトさせる。
【０００４】
光学レンズシフト方式を採用した交換レンズは、交換レンズに設置された手振れ検知装置で手振れを検知し、この手振れをキャンセルするように撮影中に交換レンズのレンズ光学系における一部の防振レンズ群を光軸に垂直な平面でシフトさせる。
【０００５】
撮像素子シフト方式と光学レンズシフト方式のどちらの手振れ補正システムにもそれぞれ一長一短がある。
【０００６】
撮像素子シフト方式では、カメラ本体に防振機能を備えるため、特にレンズ交換式カメラシステムにおいて撮像素子シフト方式を採用すれば、使用者は光学レンズシフト方式を採用しない従来の交換レンズを装着しても撮影時に手振れを補正することが可能である。しかしながら、交換可能性のある様々な交換レンズに対してカメラ本体に備えられた共通の手振れ補正システムを採用せざるを得ないため、交換レンズの特徴に最適な手振れ補正をすることが難しい。撮像素子シフト方式では、撮像素子面で手振れを補正するため、望遠レンズになるほど手振れ補正量が大きくなり、カメラ本体の備えられた共通の手振れ補正システムでは手振れ補正が間に合わなくなってしまう。
【０００７】
光学レンズシフト方式では、交換レンズそれぞれのレンズ光学系に最適な手振れ補正システムを採用しているため、望遠レンズであっても最適な手振れ補正システムを構築することが可能である。光学レンズシフト方式を採用することにより、偏心させるのに最適なレンズ光学系及び防振レンズ群を考慮した交換レンズの設計が可能である。また、光学レンズシフト方式を採用した交換レンズの手振れ補正の様子は、使用者がリアルタイムにファインダで観察することができるため、構図の決定が行いやすい。しかしながら、光学レンズシフト方式では、交換可能性のある交換レンズそれぞれに手振れ補正ユニットを設けなければならないので、コスト高やレンズ光学系設計の制約が生じる。
【０００８】
上記説明の通り、撮像素子シフト方式はカメラ本体に搭載され、光学レンズシフト方式は交換レンズに搭載されているので、これらを組み合わせて両システムのメリットを利用するシステムが考えられる。すなわち、撮像素子シフト方式を採用したカメラ本体へ光学レンズシフト方式を採用した交換レンズを装着可能にするカメラシステムが考えられる。
【０００９】
しかしながら、両システムはそれぞれ独立に使用者の手振れを補正するシステムを有しているため、両システムの手振れ補正を組み合わせると結果として手振れ補正の過剰な写真が撮影されてしまう。
【００１０】
この問題を解決するため、特開２００６−１１３４４３号公報には、撮影時以外は光学レンズシフト方式によって手振れを補正し、撮影時には光学レンズシフト方式による手振れ補正を停止して、撮像素子シフト方式による手振れ補正に切り換えることができるカメラシステムが記載されている。
【００１１】
また、特開２００７−０１０８９５号公報には、カメラ本体の防振スイッチの有効／無効及び撮影レンズの防振スイッチの有効／無効により選択する手振れ補正システムを予め決定されているカメラシステムが記載されている。
【００１２】
【特許文献１】特開２００６−１１３４４３号公報
【特許文献２】特開２００７−０１０８９５号公報
【発明の開示】
【発明が解決しようとする課題】
【００１３】
特開２００６−１１３４４３号公報に記載されたカメラシステムでは、撮像素子シフト方式と光学レンズシフト方式とを組み合わせることを前提とし、撮影時以外は光学レンズシフト方式により手振れ補正を行うことで使用者がファインダで手振れ補正状態を観察することが可能であり、且つ、撮影時はシャッタ速度によって両システムのうち最適なシステムを選択し、最適な手振れ補正を行うことが可能である。しかし、特開２００６−１１３４４３号公報に記載されたカメラシステムにおいては、最初から撮像素子シフト方式と光学レンズシフト方式とを組み合わせることを前提としているため、カメラ本体に、防振機能を有する交換レンズが取り付けられたことを検出する検出手段や、シャッタ速度により最適な手振れ補正システムを選択し、その他方を作動させないようにする像ぶれ補正機能選択手段を必要とする。そのため、使用者が既に所有している従来の撮像素子シフト方式を採用したカメラ本体と光学レンズシフト方式を採用した交換レンズを用いて特開２００６−１１３４４３号公報に記載されたカメラシステムを実現することができない。このカメラシステムを実現するには新たに対応したカメラ本体が必要であり、カメラ本体はカメラシステムにおいて中心的な装置であるため、これを買い替えることは使用者にとって負担である。
【００１４】
特開２００７−０１０８９５号公報に記載されたカメラシステムでは、撮像素子シフト方式を採用したカメラ本体の防振スイッチの有効／無効と光学レンズシフト方式を採用した交換レンズの防振スイッチの有効／無効とにより優先的にどちらかの手振れ補正システムを選択して撮影するため、撮影された写真が過剰に手振れ補正されることはない。しかし、特開２００７−０１０８９５号公報に記載されたカメラシステムも、特開２００６−１１３４４３号公報に記載されたカメラシステムと同様に手振れ補正システムを選択し、その他方を停止させる防振選択処理部をカメラシステムに設けなければならない。既に使用者が所有するカメラ本体及び交換レンズに対して、双方向間で他方の手振れ補正システムを停止させたり、作動させないようにしたりすることは困難である。
【００１５】
本発明は、撮像素子シフト方式を採用したカメラ本体に光学レンズシフト方式を採用した交換レンズを装着した際のカメラシステムであっても、簡単な構成で手振れ補正の過剰な写真が撮影されることを防止できる光学レンズシフト方式を採用した交換レンズの提供を課題とする。
【課題を解決するための手段】
【００１６】
上記課題を解決するために、本発明は、撮像素子シフト方式を採用したカメラ本体に装着可能な光学レンズシフト方式を採用した交換レンズにおいて、防振レンズ群と、該防振レンズ群を光軸に垂直な平面で駆動するレンズ側駆動手段と、防振機能を有効又は無効にするレンズ側防振スイッチと、前記カメラ本体に設けられたカメラ側制御手段とのデータ通信、該レンズ側駆動手段の駆動制御、該レンズ側防振スイッチの有効又は無効の状態の判断を行うレンズ側制御手段と、を有し、該カメラ本体に設けられたカメラ側防振スイッチが有効であり、且つ、該レンズ側防振スイッチが有効である場合には、該防振レンズ群を手振れ補正時よりも高い周波数で所定時間振動させ、バイブレーションによる警告を行うことを特徴とする交換レンズを提供する。
【００１７】
特に本実施例を参照して、レンズ側駆動手段は補正レンズ群シフト用ＶＣＭ、カメラ側制御手段はカメラＣＰＵ、レンズ側制御手段はレンズＣＰＵ、に対応するが、本実施例に限定されるものではない。
【００１８】
本発明により、使用者に対して、カメラ本体の防振機能が有効であり、且つ、交換レンズの防振機能が有効であることにより、手振れの過剰に補正された写真が撮影されてしまうことを警告することができる。
【発明の効果】
【００１９】
本発明により、撮像素子シフト方式の防振機能を備えたカメラ本体に光学レンズシフト方式の防振機能を備えた交換レンズを装着し、両方の防振機能が有効に設定されている場合であっても、手振れ補正時よりも高い周波数で防振レンズ群を振動させ、バイブレーションによる警告を行うことにより、使用者に対して、撮影時に手振れを過剰に補正してしまい、失敗写真が撮影されるおそれがあることを知らせることができる。
【００２０】
これにより、使用者に対して、カメラ本体と交換レンズでの防振機能設定ミスを撮影前に知らせることができ、撮影の失敗を未然に防ぐため、少なくともどちらかの防振機能を無効にするように促すことができる。
【００２１】
また、警告となるバイブレーションは、手振れ補正ユニットのＶＣＭによって発せられるので、交換レンズの制御を変更するだけで警告を発することができ、警告のための物理的な専用部品を追加する必要はない。
【発明を実施するための最良の形態】
【００２２】
以下、図面を用いて本発明の実施例を詳細に説明する。各図面において同一部材は同一記号で示す。
【００２３】
図１は本発明の実施例に係るカメラシステムを示すブロック図である。図２、図３及び図４は本発明の実施例に係るカメラシステムにおけるレンズＣＰＵの制御フローを示すフローチャート、図５は手振れ補正ユニットの断面図、図６はカメラ本体と交換レンズとのデータ通信をあらわすタイミングチャートである。
【００２４】
図１を用いて本発明の実施例に係るカメラシステムの各構成要素について説明する。
【００２５】
１００は本発明の実施例に係るカメラシステムにおけるカメラ本体である。２００は本発明の実施例に係るカメラシステムにおける交換レンズである。
【００２６】
１０１はカメラ側バッテリ、１０２はカメラＣＰＵ、１０３はカメラ側防振スイッチ、１０４は撮像素子、１０５は撮像素子シフト用ＶＣＭ、１０６はＶＣＭ用ドライバである。カメラ本体１００には、図１に示した構成要素以外にも各種のユーザインターフェイス、表示装置、シャッタ装置、特にデジタルスチルカメラの場合は、これらの制御装置や画像処理装置、記録メディア等を有していることが公知であるが、本実施例の説明では、カメラ本体１００及び交換レンズ２００それぞれが有する防振機能の部分の説明に絞るため、その他各構成要素の詳細な説明は省略する。
【００２７】
２０１はレンズＣＰＵ、２０２はレンズ側防振スイッチ、２０３は交換レンズ２００の不図示のレンズ光学系の一部要素である補正レンズ群、２０４は補正レンズ群シフト用ＶＣＭ、２０５はＶＣＭ用ドライバである。
【００２８】
カメラＣＰＵ１０２には、カメラ側バッテリ１０１から電源が供給されている。カメラＣＰＵ１０２は、カメラ本体１００に設けられたカメラ側防振スイッチ１０３、不図示のレリーズスイッチ、モードダイヤル、各種設定ボタン等のユーザインターフェイスから伝達されてくる様々なカメラ本体設定信号を把握したり、撮像素子シフト用ＶＣＭ１０４、不図示の表示装置、シャッタ装置、クイックリターンミラー等の被駆動装置を駆動制御したり、レンズＣＰＵ２０１とデータ通信を行ったりしている。特にカメラＣＰＵ１０２は、カメラ側防振スイッチ１０３がＯＮであることを認識すると、通常、撮像素子シフト用ＶＣＭ１０５をＶＣＭ用ドライバ１０６で制御することにより撮像素子１０４を光軸に垂直な平面で駆動させて、カメラ本体１００に設けられた不図示の手振れ検出手段により検出された手振れをキャンセルする。
【００２９】
レンズＣＰＵ２０１には、交換レンズ２００がカメラ本体１００へ装着され、カメラ本体１００と交換レンズ２００とにそれぞれ設けられた不図示の電源端子が正しく接続されることにより、カメラ側バッテリ１０１から電源が供給される。レンズＣＰＵ２０１は、交換レンズ２００に設けられたレンズ側防振スイッチ２０２、不図示のズームエンコーダ、フォーカスエンコーダから伝達されてくる様々な交換レンズ設定信号を把握したり、補正レンズ群シフト用ＶＣＭ２０４、不図示の自動焦点調節用モータ、絞り調節用モータ等の被駆動装置を駆動制御したり、カメラＣＰＵ１０２とデータ通信を行ったりしている。特にレンズＣＰＵ２０１は、レンズ側防振スイッチ２０２がＯＮであると認識すると、通常、補正レンズ群シフト用ＶＣＭ２０４をＶＣＭ用ドライバ２０５で制御することにより補正レンズ群２０３を光軸に垂直な平面で駆動させて、交換レンズ２００に設けられた不図示の手振れ検出手段により検出された手振れをキャンセルする。
【００３０】
図５を用いて補正レンズ群１０４が光軸に垂直な平面で駆動される原理について説明する。図５は補正レンズ群１０４を光軸に垂直な平面で駆動させる手振れ補正ユニット３００を、光軸を含む平面から見た断面図である。
【００３１】
手振れ補正ユニット３００は大きく分けて可動側部材３１０と固定側部材３２０とからなる。可動側部材３１０は、補正レンズ群３１１（１０４と同じ）とレンズ鏡枠３１２とマグネット３１３からなり、固定側部材３２０は、ベース３２１とコイル３２２とヨーク３２３からなる。また、可動側部材３１０は、固定側部材３２０に対して複数のボール３３１で支えられている。
【００３２】
特にマグネット３１３、コイル３２２及びヨーク３２３はボイスコイルモータ（ＶＣＭ）を構成し、コイル３２２に電流を流すことで、コイル３２２とマグネット３１３との間に電磁力が発生する。ひいてはマグネット３１３が固定された可動側部材３１０とコイル３２２が固定された固定側部材３２０との間に電磁力を源とする駆動力が発生する。この駆動力は、不図示の手振れ検出手段で検出された手振れをキャンセルさせるように、レンズＣＰＵ２０１及びレンズ側のＶＣＭ用ドライバ２０５で制御される。
【００３３】
後に説明する本発明に係るバイブレーションを発生させる際には、コイルに高周波数の電流を流し、可動側部材３１０を手振れ補正時よりも高速に固定側部材３２０に対して振動させ、固定側部材３２０に振動による慣性力をより高い周波数で伝達させることで、交換レンズ２００及びカメラ本体１００にバイブレーションを伝達する。
【００３４】
なお、手振れ補正ユニットの機構及び原理は、上記説明の手振れ補正ユニット３００に限定されない。例えば、手振れ補正レンズ群３１１を光軸に垂直な平面上で駆動させることが可能であれば、駆動源をＶＣＭではなくＤＣモータを採用したり、可動側部材３１０の固定側部材３２０への支持をボール３３１ではなくシャフトを採用したりしてもよい。また本実施例のＶＣＭの機構とは逆に、可動側部材３１０にコイル３２２を配置し、固定側部材３２０にマグネット３１３を配置する機構としてもよい。
【００３５】
次にカメラ本体１００に本発明にかかる交換レンズ２００が正しく装着された場合におけるレンズＣＰＵ２０１の制御について説明する。
【００３６】
本発明にかかる交換レンズ２００は手振れ補正ユニット３００を有している。
【００３７】
まず、本発明にかかる交換レンズ２００がカメラ本体１００に正しく装着され、さらにカメラ本体１００の電源がオンになると、カメラ本体１００のカメラ側バッテリ１０１からカメラＣＰＵ１０２に電源が供給され、カメラＣＰＵ１０２は初期設定等を行い起動する。
【００３８】
その後、カメラ本体１００のカメラ側バッテリ１０１からの電源は、カメラ本体１００と交換レンズ２００との正しい装着により接続された不図示の各端子、すなわちカメラ側電源端子及びレンズ側電源端子を通してレンズＣＰＵ２０１に供給され、レンズＣＰＵ２０１は初期設定等を行い起動する。
【００３９】
カメラＣＰＵ１０２とレンズＣＰＵ２０１とが起動し、データ通信可能状態に準備されると、カメラ本体１００と交換レンズ２００との正しい装着により接続された不図示の各端子、例えばカメラＣＰＵ１０２からレンズＣＰＵ２０１へクロック信号ＣＬＫを送信するカメラ側クロック信号端子Ｃ．ＣＬＫ及びレンズ側クロック信号端子Ｌ．ＣＬＫ、カメラＣＰＵ１０２がレンズＣＰＵ２０１へレンズデータを要求するコマンド信号ＣＭＤを送信するカメラ側コマンド信号端子Ｃ．ＣＭＤ及びレンズ側コマンド信号端子Ｌ．ＣＭＤ、レンズＣＰＵ２０１からカメラＣＰＵ１０２へレンズデータをアンサ信号ＡＮＳとして送信するカメラ側アンサ信号端子Ｃ．ＡＮＳ及びレンズ側アンサ信号端子Ｌ．ＡＮＳ等を通して、カメラＣＰＵ１０２とレンズＣＰＵ２０１との間でデータ通信が開始される。
【００４０】
カメラＣＰＵ１０２とレンズＣＰＵ２０１とのデータ通信が開始されると、第一に、レンズＣＰＵ２０１は、カメラＣＰＵ１０２がカメラ本体１００のカメラデータを送信するためのコマンド信号ＣＭＤを送信してくるかどうかを監視する（Ｓ００１）。レンズＣＰＵ２０１は、カメラデータを送信するためのコマンド信号ＣＭＤが送信され、カメラＣＰＵ１０２が現在のカメラ本体１００のカメラデータを送信してくる場合には、送信されたカメラデータをクロック信号ＣＬＫに同期して受信する（Ｓ００２）。
【００４１】
カメラデータには、ＩＳＯ感度、撮影モード、カメラ側防振スイッチ等のカメラ設定情報、シャッタ速度、絞り値、レリーズボタン等のカメラ撮影情報が含まれる。
【００４２】
第二に、レンズＣＰＵ２０１は、カメラ本体１００から交換レンズ２００のレンズデータを要求するコマンド信号ＣＭＤが送信されてくるかどうか監視する（Ｓ００３）。レンズＣＰＵ２０１は、カメラＣＰＵ１０２がレンズデータを要求するコマンド信号ＣＭＤを送信してくる場合には、要求されたレンズデータをカメラＣＰＵ１０２へ送信する（Ｓ００４）。
【００４３】
レンズデータには、可変焦点距離範囲、開放絞りＦ値等のレンズ固有情報、現在の焦点距離、フォーカス距離等のレンズステータス情報が含まれる。
【００４４】
第三に、レンズＣＰＵ２０１は、交換レンズ２００に設けられた不図示のオートフォーカス用モータを駆動させる駆動コマンド信号ＣＭＤがカメラＣＰＵ１０２から送信されてくるかどうかを監視する（Ｓ００５）。レンズＣＰＵ２０１は、カメラＣＰＵ１０２が駆動コマンド信号ＣＭＤが送信され、カメラＣＰＵ１０２が駆動データをしてくる場合には、送信された駆動データをクロック信号ＣＬＫに同期して受信し、オートフォーカス用モータを駆動データに応じて制御する（Ｓ００６）。
【００４５】
上記三段階に分けて説明したデータ通信をタイミングチャートを図６に示す。ＣＭＤは、カメラＣＰＵ１０２のカメラ側コマンド信号端子Ｃ．ＣＭＤからレンズＣＰＵ２０１のレンズ側コマンド信号端子Ｌ．ＣＭＤへ送信されるコマンド信号の様子を示したタイミングチャートである。ＣＬＫは、カメラＣＰＵ１０２のカメラ側クロック信号端子Ｃ．ＣＬＫからレンズＣＰＵ２０１のレンズ側クロック信号端子Ｌ．ＣＬＫへ送信されるクロック信号の様子を示したタイミングチャートである。ＡＮＳは、レンズＣＰＵ２０１のレンズ側アンサ信号端子Ｌ．ＡＮＳからカメラＣＰＵ１０２のカメラ側アンサ信号端子Ｃ．ＡＮＳへ送信されるアンサ信号の様子を示したタイミングチャートである。
【００４６】
カメラ本体１００から交換レンズ２００へカメラデータが送信される場合には、カメラＣＰＵ１０２のカメラ側クロック信号端子Ｃ．ＣＬＫから出力されるクロック信号ＣＬＫに同期して、カメラＣＰＵ１０２のカメラ側コマンド信号端子Ｃ．ＣＭＤからレンズＣＰＵ２０１のレンズ側コマンド信号端子Ｌ．ＣＭＤへ、カメラデータを送信するコマンド信号ＣＭＤに続いてカメラデータが送信される。
【００４７】
カメラ本体１００から交換レンズ２００へレンズデータを要求するコマンド信号ＣＭＤが送信される場合には、カメラＣＰＵ１０２のカメラ側クロック信号端子Ｃ．ＣＬＫから出力されるクロック信号ＣＬＫに同期して、まずカメラＣＰＵ１０２のカメラ側コマンド信号端子Ｃ．ＣＭＤからレンズＣＰＵ２０１のレンズ側コマンド信号端子Ｌ．ＣＭＤへレンズデータを要求するコマンド信号ＣＭＤが送信され、レンズＣＰＵ２０１は受信したコマンド信号ＣＭＤに応じたレンズデータを、カメラＣＰＵ１０２が送信したコマンド信号ＣＭＤに続いてレンズ側アンサ信号端子Ｌ．ＡＮＳからカメラＣＰＵ１０２のカメラ側アンサ信号端子Ｃ．ＡＮＳへ返答する。
【００４８】
カメラ本体１００から交換レンズ２００へ駆動コマンド信号ＣＭＤが送信される場合には、カメラＣＰＵ１０２のカメラ側クロック信号端子Ｃ．ＣＬＫから出力されるクロック信号ＣＬＫに同期して、カメラＣＰＵ１０２のカメラ側コマンド信号端子Ｃ．ＣＬＫからレンズＣＰＵ２０１のレンズ側コマンド信号端子Ｌ．ＣＭＤへ、駆動コマンド信号ＣＭＤに続いて駆動データが送信される。駆動データを受信したレンズＣＰＵ２０１は、駆動データに応じてオートフォーカス用モータ等を制御する。
【００４９】
カメラ本体１００のカメラＣＰＵ１０２と交換レンズ２００のレンズＣＰＵ２０１とのデータ通信が完了したならば、データ通信で得られたカメラデータからカメラ本体１００のレリーズボタンが押下されているか否かを確認する（Ｓ００７）。押下されていないと確認された場合には、再びＳ００１に戻ってデータ通信が開始されるのをまつ。押下されていると確認された場合には、後述する防振スイッチのＯＮ／ＯＦＦの確認と警告の制御を行う。
【００５０】
次に図３を用いてカメラ側防振スイッチ１０３とレンズ側防振スイッチ２０２の状態に応じて、警告を発するレンズＣＰＵ２０１の制御について説明する。
【００５１】
まず、カメラＣＰＵ１０２とデータ通信を行ったレンズＣＰＵ２０１は、レンズ側防振スイッチ２０２がＯＮであるか否かを確認する（Ｓ００８）。レンズ側防振スイッチ２０２の状態はレンズＣＰＵ２０１に伝達される。
【００５２】
レンズ側防振スイッチ２０２がＯＦＦである場合には、後述する交換レンズ２００による警告は行わない。レンズ側防振スイッチ２０２がＯＦＦであれば、カメラ側防振スイッチ１０３がＯＮであろうとＯＦＦであろうと、カメラ本体１００の防振機能と交換レンズ２００の防振機能とが重複し、手振れを過剰補正するようなことはありえないからである。
【００５３】
Ｓ００８でレンズ側防振スイッチ２０２がＯＮであると判断された場合には、Ｓ００２で得られたカメラデータからカメラ本体１００のカメラ側防振スイッチ１０３がＯＮになっているか否かを確認する（Ｓ００９）。
【００５４】
カメラ側防振スイッチ１０３がＯＦＦである場合には、後述する交換レンズ２００による警告は行わない。Ｓ００８でレンズ側防振スイッチ２０２がＯＮであると判断されたとしても、カメラ側防振スイッチ１０３がＯＦＦであれば、カメラ本体１００の防振機能と交換レンズ２００の防振機能とが重複し、手振れを過剰補正するようなことはありえないからである。
【００５５】
Ｓ００８でレンズ側防振スイッチ２０２がＯＮであり、且つ、Ｓ００９でカメラ側防振スイッチ２０３がＯＮであると確認された場合には、交換レンズ２００の防振機能とカメラ本体１００の防振機能とがともにはたらき、手振れを過剰補正してしまうおそれがある。そのため、使用者にどちらかの防振スイッチをＯＦＦにするように警告を行う（Ｓ０１０）。
【００５６】
Ｓ０１０の警告を行う制御について、図４を用いて説明する。まず、交換レンズ２００に設けられた手振れ補正ユニット３００の構成要素であるＶＣＭの制御周波数を、通常の防振機能がはたらく時の周波数よりも十分大きい周波数に設定する（Ｓ０１１）。通常、手振れ補正ユニット３００は１〜１０Ｈｚ程度の手振れを防止することを目的として制御されているが、使用者に警告を行う場合には、この制御周波数よりも十分大きい所定の周波数でＶＣＭを振動させ、バイブレーションを交換レンズ２００及びカメラ本体１００に発生させる。本実施例では、十分大きい所定の周波数を１００Ｈｚとしている。
【００５７】
次にＳ０１１で設定した十分大きい所定の周波数でＶＣＭを所定時間駆動させ、使用者にレンズ側防振スイッチ２０２とカメラ側防振スイッチ１０３とがともにＯＮになっていることを気づかせるための上記バイブレーションによる警告を行う（Ｓ０１２）。本実施例では所定時間を３ｓとしている。ＶＣＭを所定時間駆動させた後、警告制御を完了し、Ｓ００１に戻り次のデータ通信をまつ。
【００５８】
本発明により、撮像素子シフト方式の防振機能を備えたカメラ本体に光学レンズシフト方式の防振機能を備えた交換レンズを装着し、両方の防振機能が有効に設定されている場合であっても、防振レンズ群をバイブレーションさせることにより使用者に撮影時において手振れを過剰補正してしまうおそれがあることを警告することができる。これにより使用者の設定ミスによる撮影の失敗を未然に防ぐことができる。また警告となるバイブレーションは、手振れ補正ユニットのＶＣＭによって発せられるため、交換レンズの制御を変更するだけで足り、警告のための物理的な専用部品を追加することないため、コストを抑えることができる。
【図面の簡単な説明】
【００５９】
【図１】本発明の実施例に係るカメラシステムを示すブロック図である。
【図２】本発明の実施例に係るカメラシステムにおけるレンズＣＰＵの制御フローを示すフローチャートである。
【図３】本発明の実施例に係るカメラシステムにおけるレンズＣＰＵの制御フローを示すフローチャートである。
【図４】本発明の実施例に係るカメラシステムにおけるレンズＣＰＵの制御フローを示すフローチャートである。
【図５】本発明の実施例に係る手振れ補正ユニットの断面図である。
【図６】カメラ本体と交換レンズとのデータ通信をあらわすタイミングチャートである。
【符号の説明】
【００６０】
１００  カメラ本体
１０１  カメラ側バッテリ
１０２  カメラＣＰＵ
１０３  カメラ側防振スイッチ
１０４  撮像素子
１０５  撮像素子シフト用ＶＣＭ
１０６  ＶＣＭ用ドライバ
２００  交換レンズ
２０１  レンズＣＰＵ
２０２  レンズ側防振スイッチ
２０３  補正レンズ群
２０４  補正レンズ群シフト用ＶＣＭ
２０５  ＶＣＭ用ドライバ
３００  手振れ補正ユニット
３１０  可動側部材
３１１  補正レンズ群
３１２  レンズ鏡枠
３１３  マグネット
３２０  固定側部材
３２１  ベース
３２２  コイル
３２３  ヨーク
【図１】
2010160174.tif 000003
【図２】
2010160174.tif 000004
【図３】
2010160174.tif 000005
【図４】
2010160174.tif 000006
【図５】
2010160174.tif 000007
【図６】
2010160174.tif 000008